(57)【要約】本発明は、側壁（６１）を有する調理容器（６０）と協働するようにされた脱着可能なハンドル（１）であって、長手方向（３）に沿って延び、側壁（６１）に突き当たるようにされた少なくとも１つの固定支持具（１２、１４、１５）と、開位置と脱着可能なハンドル（１）が側壁（６１）に固定される閉位置の間で可動な錠止具（２０）とを具備し、脱着可能なハンドル（１）は、安定した閉鎖位置から安定した開放位置へ、またその逆へと、不安定なバランスの中間位置を経由して移行できるように構成された錠止具（２０）の移動手段（３０）と、当初はその安定した閉鎖位置にある移動手段（３０）をその不安定なバランスの中間位置の先まで誘導するように適合された錠止具（２０）の開放手段（５０ａ、５０ｂ）とを備える脱着可能なハンドル（１）に関する。本発明によれば、開放手段は、短尺レバーアーム（５２ａ）および長尺レバーアーム（５２ｂ）をそれぞれ具備する第１のボタン（５０ａ）および第２のボタン（５０ｂ）であって、休止位置と作動位置の間を枢動することによって移動手段（３０）をその閉鎖位置からその不安定なバランスの中間位置の先まで移行させる第１のボタン（５０ａ）および第２のボタン（５０ｂ）を備える。
2018526061.tif 000002
【特許請求の範囲】
【請求項１】
側壁（６１）を有する調理容器（６０）と協働するようにされた脱着可能なハンドル（１）であって、長手方向（３）に沿って延び、前記側壁（６１）に突き当たるようにされた少なくとも１つの固定支持具（１２、１４、１５）と、開位置と前記脱着可能なハンドル（１）が前記側壁（６１）に固定される閉位置の間で可動な錠止具（２０）とを具備し、前記脱着可能なハンドル（１）は、安定した閉鎖位置から安定した開放位置へ、またその逆へと、不安定なバランスの中間位置を経由して移行できるように構成された前記錠止具（２０）の移動手段（３０）と、当初はその閉鎖位置にある前記移動手段（３０）をその不安定なバランスの中間位置の先まで誘導するように適合された前記錠止具（２０）の開放手段（５０ａ、５０ｂ）とを備える脱着可能なハンドル（１）において、前記開放手段は、休止位置と作動位置の間で枢動して前記移動手段（３０）をその閉鎖位置からその不安定なバランスの中間位置の先まで移行させる第１のボタン（５０ａ）と第２のボタン（５０ｂ）を備えること、前記第１のボタン（５０ａ）は、ユーザーによって与えられるトルクの作用でその休止位置からその作動位置に移動するとき、前記移動手段（３０）に第１の力を加えて前記移動手段（３０）を前記閉鎖位置から前記閉鎖位置と前記不安定なバランスの中間位置の間にある開始位置まで移行させるように適合されること、および前記第２のボタン（５０ｂ）は、ユーザーによって与えられるトルクの作用でその休止位置からその作動位置に移動するとき、前記移動手段（３０）に第２の力を加えて前記移動手段（３０）を前記開始位置から前記不安定なバランスの中間位置の先まで移行させるように適合されることを特徴とする脱着可能なハンドル（１）。
【請求項２】
ユーザーによって前記第１のボタン（５０ａ）と前記第２のボタン（５０ｂ）に与えられた同じトルクの作用を受けたとき、前記移動手段（３０）に加わる第１の力は前記移動手段（３０）に対する第２の力よりも大きいことを特徴とする請求項１に記載の脱着可能なハンドル（１）。
【請求項３】
前記第１のボタン（５０ａ）および前記第２のボタン（５０ｂ）はそれぞれ短尺レバーアーム（５２ａ）および長尺レバーアーム（５２ｂ）を備え、前記短尺レバーアーム（５２ａ）は前記移動手段（３０）に対して前記第１の力を加えるように適合され、前記長尺レバーアーム（５２ｂ）は前記移動手段（３０）に対して前記第２の力を加えるように適合されることを特徴とする請求項１または２に記載の脱着可能なハンドル（１）。
【請求項４】
短尺レバーアーム（５２ａ）および長尺レバーアーム（５２ｂ）は、第１の誘導端（５４ａ）および第２の誘導端（５４ｂ）であって、それぞれ休止位置から作動位置に移動させられると、前記移動手段（３０）に設けられた受け面（３３）に当接してその受け面（３３）を移動させて前記移動手段（３０）をその開放位置まで誘導するように適合された第１の誘導端（５４ａ）および第２の誘導端（５４ｂ）をそれぞれ含むことを特徴とする請求項１乃至３のいずれか一項に記載の脱着可能なハンドル（１）。
【請求項５】
前記移動手段は、横断方向（４）に延びる枢動軸（３４）に従って閉鎖位置と開放位置の間で不安定なバランスの中間位置を通って可動なレバー（３０）を備えることを特徴とする請求項１乃至４のいずれか一項に記載の脱着可能なハンドル（１）。
【請求項６】
受け面（３３）は前記レバー（３０）に設けられることを特徴とする、請求項４の従属項である請求項５に記載の脱着可能なハンドル（１）。
【請求項７】
前記第１のボタン（５０ａ）および前記第２のボタン（５０ｂ）は前記長手方向（３）と平行をなす軸（５１ａ、５１ｂ）の周りをそれぞれ枢動し、前記第１のボタン（５０ａ）および前記第２のボタン（５０ｂ）は前記脱着可能なハンドル（１）の第１の長手方向側面（７ａ）および第２の長手方向側面（７ｂ）に配置されることを特徴とする請求項１乃至６のいずれか一項に記載の脱着可能なハンドル（１）。
【請求項８】
前記第１のボタン（５０ａ）および前記第２のボタン（５０ｂ）は短尺レバーアーム（５２ａ）および長尺レバーアーム（５２ｂ）を操作する第１の耳（５３ａ）および第２の耳（５３ｂ）を備えることを特徴とする請求項１乃至７のいずれか一項に記載の脱着可能なハンドル（１）。
【請求項９】
前記休止位置にある前記第１の耳（５３ａ）および前記第２の耳（５３ｂ）は、前記長手方向（３）軸に対して横断方向の断面内で垂直軸をなし、４０から５０°の間、好ましくは４５°の角度をなすことを特徴とする請求項８に記載の脱着可能なハンドル（１）。
【請求項１０】
前記第１の耳（５３ａ）および前記第２の耳（５３ｂ）は前記休止位置と前記作動位置の間で４０から５０°の間、好ましくは４５°の角度ストロークにわたって枢動することを特徴とする請求項８または９に記載の脱着可能なハンドル（１）。
【請求項１１】
前記短尺レバーアーム（５２ａ）の長さに対する前記第１の耳（５３ａ）の長さの比は１以上であること、および前記長尺レバーアーム（５２ｂ）の長さに対する前記第２の耳（５３ｂ）の長さの比は０．８以下であることを特徴とする請求項８乃至１０のいずれか一項に記載の脱着可能なハンドル（１）。
【請求項１２】
操作手段はリンク（４０）とばね（４７）を備え、前記ばね（４７）は前記錠止具（２０）の位置を前記側壁（６１）の厚さに適合させるようにされることを特徴とする請求項１乃至１１のいずれか一項に記載の脱着可能なハンドル（１）。
【発明の詳細な説明】
【技術分野】
【０００１】
本発明は、外側に反り返った部位によって上方に引き延ばされた側壁を有する鍋または深鍋のような調理容器と協働するための脱着可能なハンドルに関する。
【０００２】
本明細書では、脱着可能なハンドルについて説明するために使用する「長手方向」、「横断方向」、「水平」、「垂直」、「下」、「上」、「上方」、「下方」のそれぞれの用語は、水平面上に置かれた調理容器の側壁に取り付けられて使用状態にあるときのそのハンドルを基準にしている。
【背景技術】
【０００３】
特許文献１により、側壁を有する調理容器と協働するようにされた脱着可能なハンドルが知られている。脱着可能なハンドルは長手方向に延び、側壁に突き当たるようにされた固定支持具を形成する固定ジョーと、開位置と脱着可能なハンドルが側壁に固定される閉位置の間で並進可能なジョーとを備える。脱着可能なハンドルは、安定した閉鎖位置から安定した開放位置へ、またその逆へと、不安定なバランスの中間位置を経由して移行できるように構成された可動ジョーの移動用枢動レバーと、当初はその閉鎖位置にあるレバーをその不安定なバランスの中間位置の先まで誘導するように適合された可動ジョーの開放手段とを備える。開放手段は脱着可能なハンドルの長手方向側面に配置された２つのボタンであって、長手方向に対して横断方向に摺動可能に取り付けられたボタンを備える。
【０００４】
このようなハンドルは、比較的コンパクトなアセンブリを形成するため、摺動ボタンのストロークは短い。そのため、レバーを閉鎖位置から不安定なバランスの中間位置の先まで移行させるために必要なボタンの押力は大きい。
【０００５】
このようなハンドルは、可動ジョーの閉鎖位置を幾通りもの厚さの側壁に適合させるようにされたレバーとばねを含むナックル継手型の(a genouillere)可動ジョー操作手段を備える。側壁の厚さが許容最大限度に近いときは、レバーを閉鎖位置から不安定なバランスの中間位置の先まで移行させるために必要なボタンの押力は一段と大きなものとなる。
【先行技術文献】
【特許文献】
【０００６】
【特許文献１】欧州特許第１９９１０９８号明細書
【発明の概要】
【発明が解決しようとする課題】
【０００７】
本発明の目的は、上述の不都合を正すとともに、調理容器と協働するようにされた脱着可能なハンドルであって、ユーザーが容易に、ごく安全に、調理容器に対して取り付け、取り外すことができるように人間工学的に改善された脱着可能なハンドルを提案することにある。
【０００８】
本発明のもう１つの目的は、単純かつ経済的に実現できる設計の脱着可能なハンドルを提案することにある。
【０００９】
それらの目的は、側壁を有する調理容器と協働するようにされた脱着可能なハンドルであって、前記脱着可能なハンドルは長手方向に沿って延び、側壁に突き当たるようにされた少なくとも１つの固定支持具と、開位置と脱着可能なハンドルが側壁に固定される閉位置の間で可動な錠止具とを具備し、脱着可能なハンドルは、安定した閉鎖位置から安定した開放位置へ、またその逆へと、不安定なバランスの中間位置を経由して移行できるように構成された錠止具の移動手段と、当初はその閉鎖位置にある移動手段をその不安定なバランスの中間位置の先まで誘導するように適合された錠止具の開放手段とを備える脱着可能なハンドルにおいて、開放手段は、休止位置と作動位置の間で枢動して移動手段をその閉鎖位置からその不安定なバランスの中間位置の先まで移行させる第１のボタンと第２のボタンを備えること、第１のボタンは、ユーザーによって与えられるトルクの作用でその休止位置からその作動位置に移動するとき、移動手段に第１の力を加えて移動手段を閉鎖位置から閉鎖位置と不安定なバランスの中間位置の間にある開始位置まで移行させるように適合されること、および第２のボタンは、ユーザーによって与えられるトルクの作用でその休止位置からその作動位置に移動するとき、移動手段に第２の力を加えて移動手段を開始位置から不安定なバランスの中間位置の先まで移行させるように適合されることを特徴とする脱着可能なハンドルによって果たされる。
【課題を解決するための手段】
【００１０】
脱着可能なハンドルはユーザーが手でつかむようにされており、そのためにコンパクトな構造を有する。２つの枢動ボタンによって形成される移動手段は、ボタンが休止位置から作動位置まで操作されるとき、２つのストロークによる移動手段の大きな移動を得ることを可能にする。第１のストロークは主として第１のボタンの回転によってもたらされ、第２のストロークは第２のボタンの回転によってもたらされる。
【００１１】
有利には、ユーザーによって第１のボタンと第２のボタンに与えられた同じトルクの作用を受けたとき、移動手段に加わる第１の力は移動手段に対する第２の力よりも大きい。
【００１２】
移動手段を閉鎖位置から開始位置まで移行させるために必要な第１の力は大きく、移動手段の第１のストロークに対して加えられる。移動手段を開始位置から不安定なバランスの中間位置の先まで移すために必要な第２の力は第１の力よりも小さく、移動手段の第２のストロークに対して加えられる。
【００１３】
好ましくは、第１のボタンおよび第２のボタンはそれぞれ短尺レバーアームおよび長尺レバーアームを備え、短尺レバーアームは移動手段に対して第１の力を加えるように適合され、長尺レバーアームは移動手段に対して第２の力を加えるように適合される。
【００１４】
第１のボタンがその休止位置からその作動位置に移動させられるときにユーザーによって第１のボタンに与えられるトルクは、短尺レバーアームによって伝達されて、短い第１のストロークで大きな第１の力が移動手段に対して加えられ、それによって移動手段を閉鎖位置から開始位置に移行させる。第２のボタンがその休止位置からその作動位置に移動させられるときにユーザーによって第２のボタンに与えられる同じだけのトルクは、長尺レバーアームによって伝達されて、長い第２のストロークで、より小さな力でありながら十分な第２の力が移動手段に対して加えられ、それによって移動手段を開始位置から不安定なバランスの中間位置の先まで移行させる。
【００１５】
有利には、長尺レバーアームは、第２のボタンだけをその作動位置に誘導して移動手段をその閉鎖位置からその開始位置に移行させるためには第２のボタンに対する非常に大きなトルクが必要とされるようにすることでその枢動がきわめて困難となるように構成される。
【００１６】
そのため、第２のボタンだけを操作するためにかけなければならないトルクが大きすぎて、移動手段をその閉鎖位置からその開始位置まで移行させることが困難となる。
【００１７】
また、第１のボタンだけをその作動位置に誘導すると、移動手段はその閉鎖位置からその開始位置まで移行するが、その開放位置までは至らない。
【００１８】
したがって、移動手段をその開始位置まで移動させるためには、第１のボタンと第２のボタンをそれぞれの作動位置まで同時に移動させなければならない。そのため、脱着可能なハンドルが何かにぶつかって、第１のボタンまたは第２のボタンのいずれか一方がその作動位置に導かれるような当たり方をしても、移動手段がその開放位置に移動することはない。
【００１９】
有利には、短尺レバーアームおよび長尺レバーアームは、第１の誘導端および第２の誘導端であって、それぞれ休止位置から作動位置に移動させられると、移動手段に設けられた受け面に当接してその受け面を移動させて移動手段をその開放位置まで誘導するように適合された第１の誘導端および第２の誘導端をそれぞれ含む。
【００２０】
そうすることで、第１のボタンのそのストロークにおける動きは第１の誘導端の短縮ストロークでの動きに変換され、それによって移動手段を開始位置に押しやることができる。より短いストロークでの第２のボタンの動きは第２の端の長いストロークでの動きに変換され、それによって移動手段を不安定なバランスの中間位置の先まで押しやることができる。
【００２１】
好ましくは、移動手段は、長手方向に対して横断方向に延びる枢動軸に従って閉鎖位置と開放位置の間で不安定なバランスの中間位置を通って可動なレバーを備える。
【００２２】
レバーの３つの位置は、移動手段の閉鎖位置、開放位置および不安定なバランスの位置にそれぞれ対応する。
【００２３】
このような可動レバーは、単純で操作の容易な錠止具の移動手段を得ることを可能にする。
【００２４】
有利には、受け面はレバーに設けられる。
【００２５】
そのため、第１のボタンおよび第２のボタンは短尺のレバーアームおよび長尺のレバーアームを介してレバーに直接作用する。
【００２６】
好ましくは、第１のボタンおよび第２のボタンは長手方向と平行をなす軸の周りをそれぞれ枢動し、第１のボタンおよび第２のボタンは脱着可能なハンドルの第１の長手方向側面および第２の長手方向側面に配置される。
【００２７】
脱着可能なハンドルは手のひらでつかむことができ、第１のボタンと第２のボタンは親指と人差し指の間に挟み込んで操作することができる。それにより、人間工学にかなった脱着可能なハンドルの錠止解除を得ることができる。
【００２８】
有利には、第１のボタンおよび第２のボタンは短尺レバーアームおよび長尺レバーアームを操作する第１の耳および第２の耳を備える。
【００２９】
好ましくは、休止位置にある第１の耳および第２の耳は、長手方向軸に対して横断方向の断面内で垂直軸をなし、４０から５０°の間、好ましくは４５°の角度をなす。
【００３０】
この構成は、ユーザーが挟み込みによって第１の耳と第２の耳のそれぞれに対してほぼ直角に力を加えるために親指と人差し指の最適な位置を得ることを可能にする。
【００３１】
有利には、第１の耳および第２の耳は休止位置と作動位置の間で４０から５０°の間、好ましくは４５°の角度ストロークにわたって枢動する。
【００３２】
そのため、第１の耳および第２の耳は作動位置においてほぼ垂直をなす。
【００３３】
好ましくは、短尺レバーアームの長さに対する第１の耳の長さの比は１以上であり、長尺レバーアームの長さに対する第２の耳の長さの比は０．８以下である。
【００３４】
第１の耳の長さとは、第１のボタンの回転軸と耳の端部の間で測った距離をいう。短尺レバーアームの長さとは、第１のボタンの回転軸と短尺レバーアームの端部の間で測った距離をいう。
【００３５】
操作手段のこのような構造はユーザーがかける力の最適化を可能にする。
【００３６】
有利には、操作手段はリンクとばねを備え、ばねは錠止具の位置を側壁の厚さに適合させるようにされる。
【００３７】
この構成は非常に人間工学的な錠止具の操作手段を得ることを可能にする。さらに、このような手段は錠止具の位置を側壁の厚さに適合させることを可能にする。
【００３８】
本発明は、上稜部および下稜部を有する自由端を含む外側に反り返った部位によって上方に引き延ばされた側壁を備える少なくとも１つの調理容器と、上述したような脱着可能なハンドルとによって形成される組立体にも関する。
【００３９】
本発明の目的、態様および利点については、添付の図面を参照しながら、非限定的な例として示す本発明の具体的実施形態に関する以下の説明によってよりよく理解されよう。
【図面の簡単な説明】
【００４０】
【図１】本発明の具体的実施形態による脱着可能なハンドルの斜視図である。
【図２】図１の脱着可能なハンドルの分解斜視図である。
【図３】一部を図示した調理容器に対して組み立てた状態の脱着可能なハンドルの図１のＩＩＩ断面による構造材およびラッチの部分図である。
【図４】図３の構造材、ラッチおよび調理容器の上面図である。
【図５】ラッチが閉位置にあるときの図１のＶ断面による脱着可能なハンドルの断面図である。
【図６】ラッチが開位置にあるときの図１のＶ断面による脱着可能なハンドルの断面図である。
【図７】レバーが閉鎖位置にあるときの図５のＶＩＩ断面による脱着可能なハンドルの断面図である。
【図８】レバーが開始位置にあるときの図５のＶＩＩ断面による脱着可能なハンドルの断面図である。
【図９】レバーが開放位置にあるときの図６のＩＸ断面による脱着可能なハンドルの断面図である。
【発明を実施するための形態】
【００４１】
脱着可能なハンドル１は、図３および図４に部分的に示すように、水平な底壁と、その水平な底壁から立ち上がる側壁６１と、外側に延びる反り返った部位６４とを有する調理容器６０と協働するようにされている。側壁６１は内側面６２と外側面６３とを有する。反り返った部位６４は側壁６１を引き延ばすとともに調理容器６０の上部開口を画定する。反り返った部位６４は、上稜部６６および下稜部６７を持つ自由端６５を備える。上稜部６６および下稜部６７は好ましくは垂直面内で重なり合う。
【００４２】
図１から図４までのとおり、脱着可能なハンドル１は、構造材１０が配設された把持部２を備える。脱着可能なハンドル１は長手方向３に延びる。構造材１０は、中央脚１３と２つの側方脚１１ａ、１１ｂとを端部に備えるほぼ平坦な金属部材である。
【００４３】
中央脚１３は下方に延びており、側壁６１の外側面６３と協働するようにされた外部支持具１４を端部に備える。長手方向３に向けた垂直断面内では、外部支持具１４はほぼ垂直である。中央脚１３は、自由端６５の上稜部６６と協働するようにされた支持面１６を有する上部支持具１５をさらに備える。支持面１６は長手方向３に対して傾斜している。長手方向３に向けた垂直断面内では、傾斜した支持面１６に含まれる直線と長手方向３とが約６０°の角度βをなす（図３）。
【００４４】
２つの側方脚１１ａ、１１ｂは、中央脚１３の両側に長手方向３に対して横断方向４に配設される。２つの側方脚１１ａ、１１ｂは下方に延びており、側壁６１の内側面３２と協働するようにされた内部支持具１２を形成する第１の支持部位１２ａおよび第２の支持部位１２ｂをそれぞれの端部に備える。
【００４５】
内部支持具１２を形成する第１の支持部位１２ａおよび第２の支持部位１２ｂと外部支持具１４とは、脱着可能なハンドル１を調理容器６０に組み立てる際に側壁６１および自由端６５を挿入することができるように垂直軸に沿ってずらされている。
【００４６】
脱着可能なハンドル１は、開位置と閉位置の間で長手方向３に並進可能なラッチ２０からなる錠止具を備える。ラッチ２０は、中央脚１３の両側に配置された第１の支持部２１ａと第２の支持部２１ｂを有する衝止壁２１を備える。
【００４７】
図６から見て取れるように、ラッチ２０の開位置では、衝止壁２１を形成する第１の支持部２１ａおよび第２の支持部２１ｂが上部支持具１５から離隔するようにされており、それによって側壁６１を内部支持具１２と外部支持具１４の間に挿入できるようにするとともに、自由端６５の上稜部６６が上部支持具１５に突き当たることができるようにする。
【００４８】
図３および図５から見て取れるように、ラッチ２０の閉位置では、衝止壁２１を形成する第１の支持部２１ａおよび第２の支持部２１ｂは自由端６５の下稜部６７に支承され、それによって上稜部６６を上部支持具１５に衝止するようにされている（図３）。長手方向３を含む垂直断面内では、衝止壁２１に含まれる直線と長手方向とが４０から５０°の間、好ましくは４５°の角度αをなす。
【００４９】
把持部２は、ラッチ２０を受け、案内するハウジング５を備える（図２）。構造材１０はハウジング５の上に配置され、ねじ２９によって把持部２に止着される。
【００５０】
図５および図６のとおり、脱着可能なハンドル１は、ラッチ２０によって形成される錠止具移動手段を備える。移動手段は、長手方向３に対して直角をなす横断方向４に延びる枢動軸３４に従って枢動可能に把持部２に取り付けられたレバー３０と、レバー３０を枢動させたときにラッチ２０が移動できるようにするリンク４０とを備える。リンク４０は、第１の端部４１では軸４３に従って枢動可能にラッチ２０に取り付けられ、第２の端部４２では、レバー３０内に設けられた細長い開口部３１の中を摺動可能に取り付けられた軸４４に従ってレバー３０に取り付けられる。
【００５１】
レバー３０は把持部２の下面６に配置され、閉鎖位置から開放位置までの間で、不安定なバランスの中間位置を通って可動である。そのほか、移動手段は、摺動可能に取り付けられた軸４４とレバー３０の横断方向壁３２の間に配設されたばね４７をさらに備える。この圧縮ばね４７は、閉位置におけるラッチ２０の位置を調理容器６０の側壁６１の厚さに合わせて調整することができる。
【００５２】
図５のとおり、レバー３０の閉鎖位置では、第２の端部４２がその周りを枢動する軸である軸４４は枢動軸３４および軸４３を通る直線よりも上に位置する。第２の端部４２は、圧縮ばね４７の作用で構造材１０に接した状態で保持される。そのため、ユーザーが脱着可能なハンドル１に対して何らかの力を維持する必要もなく、ラッチ２０は当然のこととしてその閉位置に保たれる。レバー３０が不安定なバランスの中間位置に到達するのは、第２の端部４２がその周りを枢動する軸である軸４４が枢動軸３４および軸４３を通る直線よりも下に移動したときである。
【００５３】
図７から図９で見て取れるように、脱着可能なハンドル１は、ラッチをその安定した閉位置からその開位置へと移行させることができる開放手段を備える。開放手段は、長手方向３と平行をなす軸５１ａおよび軸５１ｂの周りをそれぞれ枢動可能に把持部２に対して取り付けられた第１のボタン５０ａおよび第２のボタン５０ｂを備えており、第１のボタン５０ａおよび第２のボタン５０ｂはそれぞれ把持部２の第１の長手方向側面７ａおよび第２の長手方向側面７ｂに配設される。第１のボタン５０ａおよび第２のボタン５０ｂはそれぞれ、短尺レバーアーム５２ａおよび長尺レバーアーム５２ｂと、短尺レバーアーム５２ａおよび長尺レバーアーム５２ｂを操作することができる第１の耳５３ａおよび第２の耳５３ｂとを備える。
【００５４】
第１のボタン５０ａおよび第２のボタン５０ｂは、それぞれがレバー３０に対する作用を持たない休止位置と、レバー３０を当初のその閉鎖位置からその不安定なバランスの中間位置の先まで誘導することで、その位置を越えた後はレバー３０が自然とその安定した開放位置に移行するようにそれぞれが適合された作動位置の間で枢動する。そのため、ラッチ２０は、とりわけラッチ２０、リンク４０およびレバー３０を駆動する圧縮ばね４７の動作などによってその開位置に自然と移行する。
【００５５】
第１のボタン５０ａおよび第２のボタン５０ｂはレバー３０の上方に配置され、第１の耳５３ａおよび第２の耳５３ｂは、把持部２の上部で第１の長手方向側面７ａおよび第２の長手方向側面７ｂから突出する。短尺レバーアーム５２ａおよび長尺レバーアーム５２ｂは第１の誘導端５４ａおよび第２の誘導端５４ｂを有する。短尺レバーアーム５２ａおよび長尺レバーアーム５２ｂは、第１のボタン５０ａおよび第２のボタン５０ｂがそれぞれの休止位置とそれぞれの作動位置の間で枢動するとき、レバー３０に設けられた受け面３３に当接するように適合されている。短尺レバーアーム５２ａは、閉鎖位置から閉鎖位置と不安定なバランスの中間位置の間の開始位置までレバー３０が誘導されるように受け面３３を移動させるための第１の力を加えることができるように適合されている。長尺レバーアーム５２ｂは、開始位置から不安定なバランスの中間位置の先までレバー３０が誘導されるように受け面３３を移動させるための第２の力を加えることができるように適合されている。レバー３０が閉鎖位置から開放位置に移動することで、リンク４０を介してラッチ２０はその開位置に誘導される。
【００５６】
操作では、調理容器６０から脱着可能なハンドル１を取り外すときには、ユーザーは把持部２をつかみ、親指と人差し指で第１の耳５３ａと第２の耳５３ｂを挟み込んで短尺レバーアーム５２ａおよび長尺レバーアーム５２ｂをそれぞれの休止位置からそれぞれの作動位置に移動させる。それにより、第１の誘導端５４ａは、受け面３３に作用してレバー３０を閉鎖位置から開始位置に移行させ、第２の誘導端５４ｂは受け面３３に作用してレバー３０を開始位置から開放位置に向けて不安定なバランスの中間位置の先まで移行させる。閉鎖位置から開放位置へのレバー３０の移行はリンク４０を介して閉位置から開位置へのラッチ２０の移動をもたらす。
【００５７】
脱着可能なハンドル１を調理容器６０に組み立てるときは、ユーザーは把持部２をつかんで、上述したものと同じやり方でラッチ２０をその開位置に持って行く。ユーザーは、反り返った部位６４の自由端６５を２つの側方脚１１ａ、１１ｂと中央脚１３の間に挿入して、側壁６１の内側面６２が内部支持具１２を形成する第１の支持部位１２ａと第２の支持部位１２ｂに突き当たるように、外側面６３が外部支持具１４に突き当たるように、さらに上稜部６６が支持面１６に突き当たるようにする。次いで、ユーザーは、レバー３０を押すことによってレバー３０をその開放位置から閉鎖位置に移行させ、それによってラッチ２０をその開位置から、その閉位置であって、衝止壁２１を形成する第１の支持部２１ａおよび第２の支持部２１ｂが自由端６５の下稜部６７に支承され、それに応じて上稜部６６が支持面１６に衝止される位置へと誘導する。
【００５８】
本発明が、もっぱら例としてのみ掲げて説明し、図示した実施形態だけにいささかも限定されるものでないことは言うまでもない。様々な要素の構成という観点からの変更や、等価の技術による置換えによる変更などは、それによって本発明の保護対象領域から外れることなくなお可能である。
【００５９】
変形実施形態では、第１のボタンおよび第２のボタンは長手方向に対して直角な垂直軸の周りにそれぞれ枢動し、それぞれのボタンは脱着可能なハンドルの各々の側である長手方向側面に配置される。
【図１】
2018526061.tif 000003
【図２】
2018526061.tif 000004
【図３】
2018526061.tif 000005
【図４】
2018526061.tif 000006
【図５】
2018526061.tif 000007
【図６】
2018526061.tif 000008
【図７】
2018526061.tif 000009
【図８】
2018526061.tif 000010
【図９】
2018526061.tif 000011
【国際調査報告】
2018526061.tif 000012
2018526061.tif 000013
2018526061.tif 000014
2018526061.tif 000015